(57)【要約】【課題】  離脱時の流体漏れを最小限に抑えることができ、非力な者でも容易に接続することができる漏れ防止弁付管継手の提供。【解決手段】  ソケット部を有する一方の継手部材１３と、ソケット部に着脱自在に嵌合されるプラグ部を有する他方の継手部材１２とを備え、一方の継手部材１２は、その流路開口部１６と連通配置に突設され、押圧部６２が挿通される筒状の連通維持部１７を備え、連通維持部１７は、押圧部６２が他方継手部材１３の流路開口部５６より他方の弁体側に挿入されて他方弁体３１を開き方向に押圧しているとき、端部が他方継手部材１３の流路開口部５６の内周又は開口縁部に接触し、両流路１４，１５間の連通状態を維持するとともに、ソケット・プラグ両部間部と他方継手部材の流路開口部５６との間を気密に閉鎖するようにした。【選択図】  図３
2007051746.tif 000002
【特許請求の範囲】
【請求項１】
端部に筒状のソケット部を有する一方の継手部材と、前記ソケット部に着脱自在に嵌合されるプラグ部を端部に有する他方の継手部材とを備え、
前記ソケット部及びプラグ部のそれぞれの中心部分に両者が嵌合状態にあるとき互いに連通される配置に流路を開口させ、
その各流路には、両者が非嵌合状態にあるとき該流路を閉鎖させる漏れ防止弁を備え、
その各漏れ防止弁は、弁体が各継手部材の流路開口側に設けた弁座側に付勢されて流路を閉鎖する構造の流路開閉弁をもって構成されるとともに、前記両開閉弁の内の少なくとも一方の弁体に、両継手部材が嵌合状態にあるときに他方継手部材の流路開口部より他方の弁体側に挿入されて他方弁体を開き方向に押圧し、かつその押圧による反力によって一方の弁体を開き方向に動作させる押圧部を備え、
前記継手部材を前記ソケット部内にプラグ部を嵌合させて互いに嵌合した状態にあるときに前記各漏れ防止弁による流路閉鎖状態が解除され、両継手部材が非嵌合状態にあるとき前記両漏れ防止弁が各流路を閉鎖させるようにしてなる漏れ防止弁付き管継手において、
前記一方の継手部材は、その流路開口部と連通配置に突設され、前記押圧部が挿通される筒状の連通維持部を備え、前記連通維持部は、前記押圧部が他方継手部材の流路開口部より他方の弁体側に挿入されて該他方弁体を開き方向に押圧しているとき、端部が前記他方継手部材の流路開口部の内周又は開口縁部に接触し、両流路間の連通状態を維持するとともに、ソケット・プラグ両部間部と前記他方継手部材の流路開口部との間を気密に閉鎖するようにしたことを特徴としてなる漏れ防止弁付管継手。
【請求項２】
前記連通維持部は、前記一方の継手部材の流路開口部と連通配置に突設された筒状の連通維持部本体と、該連通維持部本体の外周部にスライド可能に支持されたスライド部材とを有し、前記一方の継手部材は、前記スライド部材を突出方向に付勢する付勢手段を備え、前記押圧部が他方継手部材の流路開口部より他方の弁体側に挿入されて弁体を開き方向に押圧しているとき、前記スライド部材が前記付勢手段により付勢され前記他方継手部材の流路開口部の内周又は開口縁部に接触するようにした請求項１に記載の漏れ防止弁付管継手。
【請求項３】
前記スライド部材は、前記一方の継手部材にスライド可能に嵌合されたスライド筒を一体に有し、前記継手部材には、スライド部材と継手部材との間に形成される間隙と前記流路とを連通する流路溝が設けられた請求項２に記載の漏れ防止弁付管継手。
【請求項４】
前記一方の継手部材は、前記スライド筒の外側に配置された外カバーを備え、該外カバーの内周部に配置され、前記スライド筒の外周に突設されたばね受けと継手部材本体との間に介在させたコイルスプリングを付勢手段とした請求項３に記載の漏れ防止弁付管継手。
【請求項５】
前記継手部材には、前記外カバー内周部の間隙と前記流路とを連通する流路孔を備えた請求項４に記載の漏れ防止弁付管継手。
【発明の詳細な説明】
【技術分野】
【０００１】
本発明は、主に流体管路の接続に用いられる着脱機能を備えた漏れ防止弁付管継手に関する。
【背景技術】
【０００２】
従来、液体等を送液する流体管路では、その途中やアクチュエータの出入口部分に着脱機能を有する管継手を設け、この管継手を介して管路を構成する各管体間の接続が行われている。
【０００３】
この管継手１は、例えば、図５に示すように、筒状のプラグ部２を有する雄継手部材３と、プラグ部２が着脱自在に嵌合されるソケット部４を有する雌継手部材５とをもって構成され、雄雌両継手部材４，５には、両継手部材３，５が非嵌合状態にあるときに弁体６，７がそれぞれ弁座側に付勢されて流路３ａ，５ａを閉鎖し、両継手部材３，５を嵌合させたときに、相互に弁体６，７が押圧されて弁座より離脱して流路３ａ，５ａを開放する漏れ防止弁が備えられている（例えば、特許文献１を参照）。
【０００４】
このような流体用間継手１を用いることにより、継手部材３，５が嵌合状態にあるときには、管路からの流体の流出が防止され、両継手部材が連結されたときのみに管路が連通されるようになっている。
【特許文献１】特開２０００−１３０６７５号公報
【発明の開示】
【発明が解決しようとする課題】
【０００５】
しかし、上述の如き従来の技術では、両継手を離脱させた瞬間、両弁体６，７が流路３ａ,５ａを閉鎖する前に、プラグ部２とソケット部４との間にできる間隙８に負圧が作用し、そこに流体９が入り込んでしまい、両継手３，５を完全に切り離した際に、その間隙８に溜まった流体９が外部へ漏れ出てしまうという問題があった。
【０００６】
また、この問題を鑑みて弁体を弁座に押し付けるバネを強力にし、前記間隙に流体が入り込む前に流路を閉鎖するようにしたものがあるが、この場合、バネが強力であるうえ、管体内に残圧が残りやすく、このバネ及び残圧に抗して両継手を連結するのが困難であり、非力な者では接続することができないという問題があった。
【０００７】
そこで本発明は、上述の従来技術の問題を鑑み、離脱時の外部への流体漏れを最小限に抑えることができ、非力な者でも容易に接続することができる漏れ防止弁付管継手の提供を目的とする。
【課題を解決するための手段】
【０００８】
上述の如き従来の問題を解決し、所期の目的を達成するための請求項１に記載の発明は、端部に筒状のソケット部を有する一方の継手部材と、前記ソケット部に着脱自在に嵌合されるプラグ部を端部に有する他方の継手部材とを備え、前記ソケット部及びプラグ部のそれぞれの中心部分に両者が嵌合状態にあるとき互いに連通される配置に流路を開口させ、その各流路には、両者が非嵌合状態にあるとき該流路を閉鎖させる漏れ防止弁を備え、その各漏れ防止弁は、弁体が各継手部材の流路開口側に設けた弁座側に付勢されて流路を閉鎖する構造の流路開閉弁をもって構成されるとともに、前記両開閉弁の内の少なくとも一方の弁体に、両継手部材が嵌合状態にあるときに他方継手部材の流路開口部より他方の弁体側に挿入されて他方弁体を開き方向に押圧し、かつその押圧による反力によって一方の弁体を開き方向に動作させる押圧部を備え、前記継手部材を前記ソケット部内にプラグ部を嵌合させて互いに嵌合した状態にあるときに前記各漏れ防止弁による流路閉鎖状態が解除され、両継手部材が非嵌合状態にあるとき前記両漏れ防止弁が各流路を閉鎖させるようにしてなる漏れ防止弁付き管継手において、前記一方の継手部材は、その流路開口部と連通配置に突設され、前記押圧部が挿通される筒状の連通維持部を備え、前記連通維持部は、前記押圧部が他方継手部材の流路開口部より他方の弁体側に挿入されて該他方弁体を開き方向に押圧しているとき、端部が前記他方継手部材の流路開口部の内周又は開口縁部に接触し、両流路間の連通状態を維持するとともに、ソケット・プラグ両部間部と前記他方継手部材の流路開口部との間を気密に閉鎖するようにした漏れ防止弁付管継手であることを特徴とする。
【０００９】
請求項２に記載の発明は、請求項１の構成に加え、前記連通維持部は、前記一方の継手部材の流路開口部と連通配置に突設された筒状の連通維持部本体と、該連通維持部本体の外周部にスライド可能に支持されたスライド部材とを有し、前記一方の継手部材は、前記スライド部材を突出方向に付勢する付勢手段を備え、前記押圧部が他方継手部材の流路開口部より他方の弁体側に挿入されて弁体を開き方向に押圧しているとき、前記スライド部材が前記付勢手段により付勢され前記他方継手部材の流路開口部の内周又は開口縁部に接触するようにしたことを特徴とする。
【００１０】
請求項３に記載の発明は、請求項２の構成に加え、前記スライド部材は、前記一方の継手部材にスライド可能に嵌合されたスライド筒を一体に有し、前記継手部材には、スライド部材と継手部材との間に形成される間隙と前記流路とを連通する流路溝が設けられたことを特徴とする。
【００１１】
請求項４に記載の発明は、請求項３の構成に加え、前記一方の継手部材は、前記スライド筒の外側に配置された外カバーを備え、該外カバーの内周部に配置され、前記スライド筒の外周に突設されたばね受けと継手部材本体との間に介在させたコイルスプリングを付勢手段としたことを特徴とする。
【００１２】
請求項５に記載の発明は、請求項４の構成に加え、前記継手部材には、前記外カバー内周部の間隙と前記流路とを連通する流路孔を備えたことを特徴とする。
【発明の効果】
【００１３】
本発明に係る漏れ防止弁付管継手は、端部に筒状のソケット部を有する一方の継手部材と、前記ソケット部に着脱自在に嵌合されるプラグ部を端部に有する他方の継手部材とを備え、前記ソケット部及びプラグ部のそれぞれの中心部分に両者が嵌合状態にあるとき互いに連通される配置に流路を開口させ、その各流路には、両者が非嵌合状態にあるとき該流路を閉鎖させる漏れ防止弁を備え、その各漏れ防止弁は、弁体が各継手部材の流路開口側に設けた弁座側に付勢されて流路を閉鎖する構造の流路開閉弁をもって構成されるとともに、前記両開閉弁の内の少なくとも一方の弁体に、両継手部材が嵌合状態にあるときに他方継手部材の流路開口部より他方の弁体側に挿入されて他方弁体を開き方向に押圧し、かつその押圧による反力によって一方の弁体を開き方向に動作させる押圧部を備え、前記継手部材を前記ソケット部内にプラグ部を嵌合させて互いに嵌合した状態にあるときに前記各漏れ防止弁による流路閉鎖状態が解除され、両継手部材が非嵌合状態にあるとき前記両漏れ防止弁が各流路を閉鎖させるようにしてなる漏れ防止弁付き管継手において、前記一方の継手部材は、その流路開口部と連通配置に突設され、前記押圧部が挿通される筒状の連通維持部を備え、前記連通維持部は、前記押圧部が他方継手部材の流路開口部より他方の弁体側に挿入されて該他方弁体を開き方向に押圧しているとき、端部が前記他方継手部材の流路開口部の内周又は開口縁部に接触し、両流路間の連通状態を維持するとともに、ソケット・プラグ両部間部と前記他方継手部材の流路開口部との間を気密に閉鎖するようにしたことによって、両継手部材を離脱させた際の液漏れ量を最小限に抑えることができ、付勢手段に弱いものを使用すれば、非力な者であっても容易に扱うことができる。
【００１４】
前記連通維持部は、前記一方の継手部材の流路開口部と連通配置に突設された筒状の連通維持部本体と、該連通維持部本体の外周部にスライド可能に支持されたスライド部材とを有し、前記一方の継手部材は、前記スライド部材を突出方向に付勢する付勢手段を備え、前記押圧部が他方継手部材の流路開口部より他方の弁体側に挿入されて弁体を開き方向に押圧しているとき、前記スライド部材が前記付勢手段により付勢され前記他方継手部材の流路開口部の内周又は開口縁部に接触するようにしたことによって、好適に両流路間の連通状態を維持するとともに、ソケット・プラグ両部間部と前記他方継手部材の流路開口部との間を気密に閉鎖することができるとともに、スライド部材により継手部材の端部に突出した連通維持部本体を保護することができる。
【００１５】
前記スライド部材は、前記一方の継手部材にスライド可能に嵌合されたスライド筒を一体に有し、前記継手部材には、スライド部材と継手部材との間に形成される間隙と前記流路とを連通する流路溝が設けられたことによって、離脱時の負圧に対して流路溝が流体の補給路となってスライド部材と継手部材との間の間隙が真空状態となるのを防止し、継手部材本体に対しスライド部材を好適にスライドさせることができる。
【００１６】
前記一方の継手部材は、前記スライド筒の外側に配置された外カバーを備え、該外カバーの内周部に配置され、前記スライド筒の外周に突設されたばね受けと継手部材本体との間に介在させたコイルスプリングを付勢手段としたことによって、好適にスライド部材を付勢することができる。
【００１７】
前記継手部材には、前記外カバー内周部の間隙と前記流路とを連通する流路孔を備えたことによって、継手部本体に対しスライド部材を好適にスライドさせることができる。
【発明を実施するための最良の形態】
【００１８】
次に、本発明に係る漏れ防止弁付管継手について説明する。
【００１９】
図１は本発明に係る漏れ防止弁付管継手の一例を示し、図中符号１０は管継手、符号１１は流路用管体である。
【００２０】
管継手１０は、プラグ部を有する雄継手部材１２と、プラグ部が着脱自在に嵌合されるソケット部を端部に有する雌継手部材１３とを備え、雄雌両継手部材１２，１３には、それぞれ中心部分に両者が嵌合状態にあるときに互いに連通される配置に流路１４，１５が開口されている。
【００２１】
また、雄雌両継手部材１２，１３には、漏れ防止弁が設けられ、両継手部材１２，１３が非嵌合状態にあるときに流路１４，１５からの流体の流出が防止され、両継手部材１２，１３が嵌合状態にあるときに流路１４，１５が連通されるようになっている。
【００２２】
雄継手部材１２は、突き合わせ側端部に流路開口部１６と連通配置に突設された筒状の連通維持部１７を備え、連通維持部１７は、継手部材１２の端部に流路開口部１６と連通配置に突設された連通維持部本体１８と、連通維持部本体１８の外周部にスライド可能に支持されたスライド部材１９とをもって構成されている。
【００２３】
また、雄継手部材１２は、連通維持部１７を突設させた継手部材本体２０と、スライド部材１９を雌継手側に付勢する付勢手段２１と、スライド部材１９の外側に配置された外カバー２２とを備えている。
【００２４】
継手部材本体２０は、筒状の先筒部２３と、先筒部２３の後端側に連続配置され、外カバー２２の内周部に嵌まり込む拡径部２４とを有し、流路１４内に漏れ防止弁が設けられている。
【００２５】
先筒部２３には、その外周に流路孔２５及び長手方向に向けた流路溝２６が形成され、流路孔２５を介して流路溝２６が流路１４と連通している。
【００２６】
拡径部２４は、その外周部に外カバー２２の内周部に螺合されるネジ部２７を有し、該ネジ部２７をねじ込むことにより、外カバー２２の内側に継手部材本体２０が保持されるようになっている。
【００２７】
また、拡径部２４の内周部には、管体１１を接続するためのテーパねじ２８が形成されている。
【００２８】
更に、拡径部２４の外周には、Ｏリング等のシール材２９が嵌め込まれ、外カバー２２の内周面と継手部材本体２０の外周との間をシールしている。
【００２９】
漏れ防止弁は、図１、図２に示すように、先筒部２３の突き合わせ端部に一体化された弁座３０と、流路１４内に配置された球状の弁体３１と、流路１４内に固定されたストッパー３２と、ストッパー３２に反力を取って弁体３１を弁座側に付勢するコイルスプリング３３とをもって構成されている。尚、ストッパー３２には、平面部が形成されており、この平面部により流体が流れるようになっている。
【００３０】
スライド部材１９は、連通維持部本体１８の外周部にスライド可能に配置された中空円板状の本体部３４と、本体部３４の後端側に一体に突設され、先筒部２３の外周にスライド可能に嵌合されたスライド筒３５とを一体に備え、プラグ部の一部を構成している。
【００３１】
本体部３４は、中央に連通維持部１７が挿通される挿通孔３６を有し、この挿通孔３６の内周部にＯリング等のシール材３７が備えられ、スライド部材１９の内周面と連通維持部本体１８と外周面との間がシールされている。
【００３２】
スライド筒３５の外周部には、周方向に向けたばね受け３８が突設されている。
【００３３】
外カバー２２は、先端側に雌継手部材１３に挿入される挿入部３９が突設された筒状に形成され、挿入部３９がスライド部材１９とともにプラグ部を構成するようになっている。
【００３４】
また、外カバー２２は、その内部にスライド部材１９が挿通される挿通孔４０と、拡径部２４が嵌め込まれる嵌合孔４１とが連続して形成されている。
【００３５】
この外カバー２２の内側、即ち嵌合孔４１内周部には、付勢手段であるコイルスプリング２１が配置され、このコイルスプリング２１をスライド部材１９のばね受け３８と継手部材本体２０の拡径部２４端面との間に介在させることにより、継手部材本体２０に反力をとったコイルスプリング２１によりスライド部材１９が突出方向、即ち雌継手部材１３側に付勢されている。
【００３６】
尚、スライド部材１９は、挿通孔４０と嵌合孔４１との段差部４２にばね受け３８が当接することにより、雌継手部材１３側に抜け出ないようになっている。
【００３７】
挿通孔４０の内周部には、Ｏリング等のシール材４３が備えられ、スライド部材１９と外カバー２２内周面との間がシールされている。
【００３８】
雌継手部材１３は、雄継手部材１２が挿入される段状のソケット部を有する本体部５０と、本体部５０と連続配置に外径が細く形成された縮径部５１と、雄雌両継手部材１２，１３の嵌合状態を維持する連結維持手段５２とを備え、流路１５内には、漏れ防止弁が設けられている。
【００３９】
ソケット部には、開口側部５３ａに挿入部３７が挿入され、奥側部５３ｂにスライド部材１９が嵌まり込むようになっている。尚、図中符号５４は、プラグ部とソケット部との間をシールするＯリング等のシール材である。
【００４０】
縮径部５１は、その外周部に管体１１を接続するためのテーパねじ部５５が備えられている。
【００４１】
漏れ防止弁は、図１、図２に示すように、流路開口部５６に配置された弁座５７と、流路１５内にスライド自在に収容された弁体５８と、流路１５内に固定されたストッパー５９と、ストッパー５９に反力をとって弁体５８を弁座側に付勢するコイルスプリング６０とを備えている。
【００４２】
弁体５８は、円錐状の閉鎖部６１と、閉鎖部６１の頂部に一体に突設された棒状の押圧部６２とを備え、雄雌両継手部材１２，１３が嵌合した状態にあるとき、この押圧部６２が雌継手部材の流路開口部５６より弁体２９側に挿入されて弁体２９を開き方向側に押圧し、且つその押圧による反力によって弁体５８を開き方向に動作させるようになっている。尚、弁体５８及びストッパー５９には、平面部が形成され、この平面部により流体が流れるようになっている。
【００４３】
このように構成された管継手は、図３に示すように、雄雌両継手部材１２，１３が嵌合状態を脱した際、漏れ防止弁が閉じられるまでの間、スライド部材１９が付勢手段により突出方向に付勢され雌継手部材１３の開口縁部に押し当てられて、連通維持部１７の端部が開口縁部に接触し、連通維持部本体１８とスライド部材１９とがシール材３７によってシールされているので、ソケット・プラグ両部間部に流体が流れ込むことがなく、流体漏れを最小限に抑えることができる（従来の１／６〜１／７程度）。
【００４４】
また、流路孔２５及び流路溝２６を設けたことにより、両継手部材１２，１３が嵌合状態を脱した際に生じる負圧に対し、流路溝２６が流体の補給路となって、スライド部材１９と雄継手部材本体２０との間の間隙に流路１４を流れる流体が流れ込むので、その間隙内が真空状態とならないようになっている。
【００４５】
一方、雄雌両継手部材１２，１３を嵌合させる際には、両弁体２９，５８が相互に接触する前に、付勢手段により突出方向に付勢されたスライド部材１９がソケット部の奥側部５３ｂに挿入され、連通維持部１７の端部、即ちスライド部材１９が雌継手部材１３の開口縁部に接触し、更に雄雌両継手部材１２，１３を近づけると、コイルスプリング２１に抗してスライド部材１９が継手部本体側に押し込まれ、押圧部６２が雌継手部材の流路開口部５６より弁体２９側に挿入されて弁体２９を開き方向側に押圧し、且つその押圧による反力によって弁体５８を開き方向に動作させ、流路１４，１５を開放するとともに連通させるようになっている。
【００４６】
このとき、両漏れ防止弁を構成するコイルスプリングを弱いものとしておくことによって、非力な者であっても容易に連結作業を行うことができる。
【００４７】
尚、上述の実施例では、連通維持部１７及びスライド部材１９を雄継手部材１２に設けた例について説明したが、連通維持部１７及びスライド部材１９を雌継手部材１３のソケット部内に設けてもよい。
【００４８】
また、上述の実施例では、連通維持部１７を連通維持部本体１８とスライド部材１９とをもって構成した例について説明したが、図４に示すように、スライド部材を有しないものであってもよい。尚、上述の実施例と同一の部分には同一符号を付して説明を省略する。
【００４９】
この管継手７０は、雄継手部材７１のプラグ部端部に突設された筒状の連通維持部７２を備え、この連通維持部７２が雌継手部材７３の流路開口部７４内周部に挿入されるようになっている。尚、図中符号７５はＯリング等のシール材であり、符号７６は空気抜き路である。
【００５０】
この連通維持部７２は、両漏れ防止弁の開閉ストロークの和よりも長く形成されるとともに、流路開口部７４と連通維持部７２との間がシール材７５によりシールされているので、雌継手部材７３の流路開口部７４より弁体側に挿入されて弁体５８を開き方向に押圧しているとき、両流路１４，１５間の連通状態を維持するとともに、ソケット・プラグ両部間部７７と雌継手部材の流路開口部７４との間を気密に閉鎖するようになっている。
【００５１】
また、空気抜き路７６を設けたことによって、両継手部材７１、７３を離脱方向に操作しても、ソケット・プラグ両部間部７７内が真空状態とならないので、ソケット・プラグ両部間部７７内に流体が流れ込まないようになっている。
【００５２】
更に、それぞれ漏れ防止弁を構成する弁体の形態は、上述の実施例に示したもの限定されず、雄雌両継手部材１２，１３を連結した際に互いに押圧して弁座から離脱するものであればよい。
【図面の簡単な説明】
【００５３】
【図１】本発明に係る漏れ防止弁付管継手の一例を示す断面図である。
【図２】図１中の両漏れ防止弁の配置の概略を示す斜視図である。
【図３】同上の両継手部材が離脱した状態を示す断面図である。
【図４】本発明に係る漏れ防止付弁管継手の他の一例を示す断面図である。
【図５】従来の管継手の一例を示す断面図である。
【符号の説明】
【００５４】
１０  管継手
１１  流路用管体
１２  雄継手部材
１３  雌継手部材
１４，１５  流路
１６  流路開口部
１７  連通維持部
１８  連通維持部本体
１９  スライド部材
２０  継手部材本体
２１  付勢手段（コイルスプリング）
２２  外カバー
２３  先筒部
２４  拡径部
２５  流路孔
２６  流体溝
２７  ネジ部
２８  テーパねじ
２９  シール材
３０  弁座
３１  弁体
３２  ストッパー
３３  コイルスプリング
３４  本体部
３５  スライド筒
３６  挿通孔
３７  シール材
３８  ばね受け
３９  挿入部
４０  挿通孔
４１  嵌合孔
４２  段差部
４３  シール材
５０  本体部
５１  縮径部
５２  連結維持手段
５３ａ  開口側部
５３ｂ  奥側部
５５  テーパネジ部
５６  流路開口部
５７  弁座
５８  弁体
５９  ストッパー
６０  コイルスプリング
６１  閉鎖部
６２  押圧部
７０  管継手
７１  雄継手部材
７２  連通維持部
７３  雌継手部材
７４  流路開口部
７５  シール材
７６  空気抜き路
７７  ソケット・プラグ両部間部
【図１】
2007051746.tif 000003
【図２】
2007051746.tif 000004
【図３】
2007051746.tif 000005
【図４】
2007051746.tif 000006
【図５】
2007051746.tif 000007